(57)【要約】【課題】フィルム巻戻し時には、巻戻しクランクが長くなって、回転させるのに大きな力を必要とせず、操作性が向上する巻戻しハンドルを備えたカメラ。【解決手段】円盤状に形成されて一方の面部に中央を横断する長溝が設けられた巻戻しノブと、パトローネのスプールと係合する係合部を有し巻戻しノブと接続して回転する係合部材と、縦長に形成され巻戻しノブの長溝の端部にて且つ長溝の幅方向に配置された支軸に一端が支持されて回動し、長溝内に収納可能であると共に、９０度以上の角度で起立可能な中間部材と、縦長に形成され中間部材の他端にて且つ中間部材の厚み方向に配置された支軸に支持されて回動し、中間部材に設けた収納部に収納可能であり、且つ、中間部材の長手方向と略平行に起立可能な巻戻しクランクと、を有する巻戻しハンドルを備えたこと。【選択図】        図４
2004317780.tif 000002
【特許請求の範囲】
【請求項１】
円盤状に形成されて一方の面部に中央を横断する長溝が設けられた巻戻しノブと、
カメラ本体に装填されたパトローネのスプールと係合する係合部を有し、前記巻戻しノブの他方の面部と接続して回転する係合部材と、
縦長に形成され、前記巻戻しノブの長溝の端部にて且つ前記長溝の幅方向に配置された支軸に一端が支持されて回動し、前記長溝内に収納可能であると共に、前記巻戻しノブの一方の面部に対して９０度以上の角度で起立可能な中間部材と、縦長に形成され、前記中間部材の他端にて且つ前記中間部材の厚み方向に配置された支軸に支持されて回動し、前記中間部材に設けた収納部に収納可能であり、且つ、前記中間部材の長手方向と略平行に起立可能であって、フィルムを前記パトローネのスプールに巻き戻すときのみ該起立状態が保持される巻戻しクランクと、
を有する巻戻しハンドルを備えたことを特徴とするカメラ。
【請求項２】
円盤状に形成されて一方の面部に中央を横断する長溝を設けられた巻戻しノブと、
カメラ本体に装填されたパトローネのスプールと係合する係合部を有し、前記巻戻しノブの他方の面部と接続して回転する係合部材と、
縦長に形成され、前記巻戻しノブの長溝の端部にて且つ前記長溝の幅方向に配置された支軸に一端が支持されて回動し、前記長溝内に収納可能であると共に、前記巻戻しノブの一方の面部に対して９０度以上の角度で起立可能な中間部材と、縦長に形成され、前記中間部材の他端にて且つ前記中間部材の幅方向に配置された支軸に支持されて回動し、前記中間部材の裏面側に収納可能であり、且つ、前記中間部材の長手方向と略平行に起立可能な巻戻しクランクと、
を有する巻戻しハンドルを備えたことを特徴とするカメラ。
【請求項３】
円盤状に形成されて一方の面部に中央を横断する長溝を設けられた巻戻しノブと、
カメラ本体に装填されたパトローネのスプールと係合する係合部を有し、前記巻戻しノブの他方の面部と接続して回転する係合部材と、
縦長に形成され、前記巻戻しノブの長溝の端部にて且つ前記長溝の幅方向に配置された支軸に一端が支持されて回動し、前記長溝内に収納可能であると共に、前記巻戻しノブの一方の面部に対して９０度以上の角度で起立可能な中間部材と、縦長に形成され、前記中間部材の長手方向と略平行に摺動し、前記中間部材に設けた収納部に収納可能であり、且つ、前記中間部材より所定の長さで引き出すことが可能な巻戻しクランクと、
を有する巻戻しハンドルを備えたことを特徴とするカメラ。
【請求項４】
前記中間部材を前記巻戻しノブの長溝内に収納したときに、該長溝の側壁に圧接する突部を前記中間部材に設けたことを特徴とする請求項１〜３の何れか１項に記載のカメラ。
【請求項５】
前記巻戻しクランクの端部に、円柱状の巻戻し用つまみを設けたことを特徴とする請求項１〜４の何れか１項に記載のカメラ。
【発明の詳細な説明】
【０００１】
【発明の属する技術分野】
本発明は、より操作性の良い巻戻しハンドルを備えたカメラに関する。
【０００２】
【従来の技術】
主として１３５フィルムを用いたカメラにおいては、撮影が終了した後は、フィルムを巻き戻す必要がある。モータによる自動巻戻し機構が開発されていなかったときのカメラや、近年でも低価格を旨とした簡易なカメラにおいては、巻戻しハンドルがカメラの上面（希には下面）に設けられ、撮影者がこの巻戻しハンドルを回転操作してフィルムを巻き戻していた。
【０００３】
巻戻しハンドルは、円盤状に形成された巻戻しノブと、巻戻しノブの下部から突出してパトローネのスプールと係合する係合部と、巻戻しノブに対して起倒する巻戻しクランクからなる。（例えば、特許文献１参照）
【０００４】
【特許文献１】
特開平８−２８６２４３号公報（第４頁、第２図）
【０００５】
【発明が解決しようとする課題】
従来の巻戻しハンドルにおいては、巻戻しノブの直径は主としてカメラ本体の厚みによって決定され、あまり大きくすることはできない。また、ユーザーが操作する巻戻しクランクは巻戻しノブに収納されて回転するので、その長さを巻戻しノブの直径以上に形成することはできない。従って、巻戻しクランクの長さは短く、巻戻しクランクを起立させたときでも、巻戻しクランクの先端にある操作ツマミより巻戻しノブの回転中心までの距離が短く、フィルム巻戻し時に巻戻しクランクを回転させるのに大きな力を必要として操作性が悪かった。
【０００６】
本発明はかかる問題に鑑みてなされたものであり、非使用時に巻戻しクランクを巻戻しノブに収納するときは巻戻しノブの直径を大きくせずとも通常の大きさで充分であり、フィルム巻戻し時に巻戻しクランクを巻戻しノブから起立させたときは、巻戻しクランクが従来より遙かに長くなって、巻戻しクランクを回転させるのに大きな力を必要とせず、操作性が向上する巻戻しハンドルを備えたカメラを提案することを目的とする。
【０００７】
【課題を解決するための手段】
上記目的は下記の何れかの手段により達成される。
【０００８】
▲１▼円盤状に形成されて一方の面部に中央を横断する長溝が設けられた巻戻しノブと、カメラ本体に装填されたパトローネのスプールと係合する係合部を有し、前記巻戻しノブの他方の面部と接続して回転する係合部材と、縦長に形成され、前記巻戻しノブの長溝の端部にて且つ前記長溝の幅方向に配置された支軸に一端が支持されて回動し、前記長溝内に収納可能であると共に、前記巻戻しノブの一方の面部に対して９０度以上の角度で起立可能な中間部材と、縦長に形成され、前記中間部材の他端にて且つ前記中間部材の厚み方向に配置された支軸に支持されて回動し、前記中間部材に設けた収納部に収納可能であり、且つ、前記中間部材の長手方向と略平行に起立可能であって、フィルムを前記パトローネのスプールに巻き戻すときのみ該起立状態が保持される巻戻しクランクと、を有する巻戻しハンドルを備えたことを特徴とするカメラ。
【０００９】
▲２▼円盤状に形成されて一方の面部に中央を横断する長溝を設けられた巻戻しノブと、カメラ本体に装填されたパトローネのスプールと係合する係合部を有し、前記巻戻しノブの他方の面部と接続して回転する係合部材と、縦長に形成され、前記巻戻しノブの長溝の端部にて且つ前記長溝の幅方向に配置された支軸に一端が支持されて回動し、前記長溝内に収納可能であると共に、前記巻戻しノブの一方の面部に対して９０度以上の角度で起立可能な中間部材と、縦長に形成され、前記中間部材の他端にて且つ前記中間部材の幅方向に配置された支軸に支持されて回動し、前記中間部材の裏面側に収納可能であり、且つ、前記中間部材の長手方向と略平行に起立可能な巻戻しクランクと、を有する巻戻しハンドルを備えたことを特徴とするカメラ。
【００１０】
▲３▼円盤状に形成されて一方の面部に中央を横断する長溝を設けられた巻戻しノブと、カメラ本体に装填されたパトローネのスプールと係合する係合部を有し、前記巻戻しノブの他方の面部と接続して回転する係合部材と、縦長に形成され、前記巻戻しノブの長溝の端部にて且つ前記長溝の幅方向に配置された支軸に一端が支持されて回動し、前記長溝内に収納可能であると共に、前記巻戻しノブの一方の面部に対して９０度以上の角度で起立可能な中間部材と、縦長に形成され、前記中間部材の長手方向と略平行に摺動し、前記中間部材に設けた収納部に収納可能であり、且つ、前記中間部材より所定の長さで引き出すことが可能な巻戻しクランクと、を有する巻戻しハンドルを備えたことを特徴とするカメラ。
【００１１】
【発明の実施の形態】
以下に本発明のカメラにおける巻戻しハンドルの実施の形態を、図を参照して詳細に説明する。
【００１２】
先ず、カメラの一例を図１のカメラの外観斜視図により説明する。
カメラの前面中央には撮影レンズ１が配置され、撮影レンズ１の上方にはファインダの対物レンズ窓２が配置されている。
【００１３】
対物レンズ窓２の右方にはストロボ光を発光するストロボ発光部３が配置されている。ストロボ発光部３の左下には被写体より反射したストロボ光を受光する受光部のための受光窓４が配置され、ストロボ発光部３の下方にはストロボを作動状態及び不作動状態にするストロボ操作レバー５が配置されている。なお、ストロボ操作レバー５を図１の如く右端が側面より突出するように右方に摺動させれば内部のメインスイッチがオンになってストロボが充電しストロボが作動状態になり、左方に摺動させればメインスイッチがオフになってストロボの充電が停止しストロボは不作動状態になる。
【００１４】
撮影レンズ１の下方には装填したフィルムの感度に応じて切り換えるフィルム感度レバー６が配置され、本実施の形態においてはフィルム感度レバー６を右方に摺動操作するとＩＳＯ１００〜４００に対応した絞りに切り換わり、フィルム感度レバー６を左方に摺動操作するとＩＳＯ８００〜１６００に対応した絞りに切り換わる。
【００１５】
カメラの上面には、左から撮影時に押下するレリーズボタン７、撮影コマ数を表示した内部の指数板を視認するための指数窓８、ストロボが充電したときに点灯する内部のＬＥＤを視認するための充電確認窓９、及び撮影済みのフィルムをパトローネ内に巻き戻すための巻戻しハンドル１０が配置されている。
【００１６】
カメラの背面にはフィルムを巻き上げるための巻上げノブ１１が配置されている。
【００１７】
なお、本カメラの背面図は省略してあるが、背面に配置した裏蓋を開閉してフィルムの装填や取り出しを行う。また、背面には対物レンズ窓２と光学的に接続した接眼レンズ窓が配置されている。
【００１８】
次に、この巻戻しハンドル１０に関する３種の実施の形態を説明する。
［第１の実施の形態］
第１の実施の形態の巻戻しハンドルを図２乃至図８を参照して説明する。
【００１９】
図２は巻戻しクランクと中間部材とを巻戻しノブに収納した状態の斜視図、図３は中間部材を巻戻しノブに対して起立させたが、巻戻しクランクは中間部材に収納されている状態の斜視図、図４は中間部材を巻戻しノブに対して起立させ、且つ巻戻しクランクを中間部材に対して起立させた状態の斜視図、図５は巻戻しクランクと中間部材とを巻戻しノブに収納した状態の断面図、図６は中間部材を巻戻しノブに対して起立させたが、巻戻しクランクは中間部材に収納されている状態の断面図、図７は中間部材を巻戻しノブに対して起立させ、且つ巻戻しクランクを中間部材に対して起立させた状態の断面図である。なお、図５乃至図７は、縦長に形成された巻戻しクランク及び中間部材の長手方向中央を切断した断面図である。また、図８は図７におけるＡ−Ａ断面図である。
【００２０】
各図において、２１は巻戻しノブであって、円盤状に形成されていて、カメラの外装部材２２に設けた窪み２２ａに収納されている。また、巻戻しノブ２１の各図の上面側には中央を横断する長溝２１ａが設けられている。２３は係合部材であって下部に設けられた二股２３ａが不図示のパトローネのスプールと係合する。そして、巻戻しノブ２１と係合部材２３は、例えば一方に設けた雄ねじと他方に設けた雌ねじによって一体的に接続され、不図示のカメラ本体と嵌合して自在に回転する。
【００２１】
なお、巻戻しノブ２１と係合部材２３とを最初から一体の部材に形成してもよい。
【００２２】
２４は縦長に形成された中間部材であり、図８（ａ）に示す如く、その一端の両側面には支軸２４ａが突出していて、図８（ａ）のＢ−Ｂ断面図である図８（ｂ）に示す如く、巻戻しノブ２１の長溝２１ａの側壁に上下方向に更に長溝２１ｂが形成されている。そして、巻戻しノブ２１の下方から長溝２１ｂに中間部材２４の支軸２４ａを嵌入する。なお、長溝２１ｂは、支軸２４ａが嵌入する上部は支軸２４ａが適正に回転するように支軸２４ａの径より僅かに大きく形成され、下部は支軸２４ａの径より僅かに小さく形成されていて、組立時には下方から長溝２１ｂに支軸２４ａを圧入する。従って、長溝２１ｂの上部に位置した支軸２４ａは抜けることがない。
【００２３】
これにより、中間部材２４は支軸２４ａを中心に回動自在であり、図２及び図５の如く巻戻しノブ２１の長溝２１ａに収納されたり、図３、図４、図６及び図７の如く起立したりする。
【００２４】
なお、支軸２４ａをピアノ線等の別部材で形成してもよい。
中間部材２４の他方の端部における厚み方向には支持孔２４ｂが設けられている。また、中間部材２４の長手方向における一方の側壁から前記他方の端部にかけて刳り貫いた収納部２４ｃが設けられていて、且つ、中間部材２４を巻戻しノブ２１に収納したときに係合部材２３側に位置する面には開口部２４ｄが設けられている。即ち、収納部２４ｃを設けた部所で、長手方向と直交する方向に切断すると、略コの字形となっている。また、中間部材２４の他方の端部も刳り貫かれているので、支持孔２４ｂは中間部材２４の厚み方向に二つあることになる。
【００２５】
２５は、縦長に形成された巻戻しクランクであり、一方の端部に円柱状の巻戻し用ツマミ２５ａを有している。巻戻しクランク２５の他方の端部の厚み方向には、同心で且つ互いに逆方向に２本の支軸２５ｂが立設していて、この支軸２５ｂが中間部材２４の支持孔２４ａと係合している。従って、巻戻しクランク２５は、支軸２５ｂを中心に回動自在であり、図３及び図６の如く中間部材２４の収納部２４ｂに収納されたり、図４及び図７の如く中間部材２４の長手方向と略平行で、且つ、中間部材２４の他方の端部より突出したりする。
【００２６】
なお、支軸２５ｂをピアノ線の如き別部材で形成し、例えばピアノ線を支持孔２４ａに嵌合させると共に、巻戻しクランク２５を貫通させるようにしてもよい。
【００２７】
そして、巻戻しクランク２５を収納部２４ｂに収納したときは、巻戻し用ツマミ２５ａは開口部２４ｃの部分に位置する。
【００２８】
また、巻戻しクランク２５を突出させたときは、巻戻しクランク２５における支軸２５ｂが位置する側の端面２５ｃ（図４参照）が、中間部材２４の他方の端部において刳り貫かれて生じた端部２４ｄ（図３及び図４参照）と当接する。従って、巻戻しクランク２５は、中間部材２４より突出した状態から更に回転することはなく、中間部材２４より突出した状態を維持することができる。
【００２９】
以上の如く構成した巻戻しハンドルの作動を説明する。
先ず、フィルム巻戻しを行わないときは、図２及び図５に示す如く、巻戻しクランク２５は中間部材２４の収納部２４ｃに収納され、且つ、中間部材２４は巻戻しノブ２１の長溝２１ａに収納されている。そして、フィルム巻上げが行われると、パトローネからのフィルムの引き出しに伴ってスプールが回転し、これに連動して係合部材２３が回転するので、巻戻しハンドル全体が回転する。なお、図１及び図２においては、反時計方向に回転するものとする。
【００３０】
次に、フィルム巻戻しを行うときは、先ず、中間部材２４の他方の端部の先端部に設けた指掛かり２４ｅに指先を掛けて、中間部材２４を引き上げる。すると、図３及び図６に示す如く、中間部材２４は巻戻しクランク２５を収納した状態で起立する。
【００３１】
続いて、巻戻し用ツマミ２５ａに指先を掛けて巻戻しクランク２５を略１８０度の角度で時計方向に回転させる。これによって、図４及び図７の如く、巻戻しクランク２５が中間部材２４より突出した状態になる。即ち、巻戻し用ツマミ２５ａにおける巻戻しノブ２１の中心位置からの寸法は、従来の巻戻しハンンドルと比較して遙かに長くなるので、フィルムを巻き戻すために回転させる力が弱くて済み、操作性が向上する。
【００３２】
なお、フィルム巻戻し時には図４の如く巻戻しクランク２５がより突出し、端面２５ｃと端部２４ｄが当接するので、巻戻しクランク２５を時計方向に回転させると、中間部材２４も一体に同方向に回転し、巻戻しノブ２１及び係合部材２３も一体に同方向に回転して、パトローネのスプールを回転させて、フィルムををパトローネ内に巻き戻すことができる。
【００３３】
しかし、ユーザーが操作を誤って巻戻しクランク２５を反時計方向に回転させると、巻戻しクランク２５は中間部材２４の収納部２４ｂに収納されるように回転して中間部材２４に対して屈曲し、中間部材２４を始め、巻戻しノブ２１及び係合部材２３を回転させることができない。従って、ユーザーは巻戻しクランク２５の回転方向を誤ったことを直ぐに自覚することができる。
【００３４】
巻戻しが終了した後は前述と逆の操作を行い、図４及び図７の状態から巻戻し用ツマミ２５ａに指先を掛けて巻戻しクランク２５を反時計方向に回転させ、中間部材２４の収納部２４ｃに収納させて図３及び図６の状態にする。続いて、中間部材２４を回転させて、巻戻しノブ２１の長溝２１ａに収納すれば、図２及び図５に示す収納状態になる。
【００３５】
なお、中間部材２４の長手方向両側面には小さな突部２４ｆが突出していて、中間部材２４を巻戻しノブ２１の長溝２１ａに収納したときに、突部２４ｆが長溝２１ａの側面に圧接するので、収納状態においてカメラを逆さにしたときでも中間部材２４等が突出するようなことは生じない。
【００３６】
［第２の実施の形態］
第２の実施の形態の巻戻しハンドルを図９乃至図１４を参照して説明する。
【００３７】
図９は巻戻しクランクと中間部材とを巻戻しノブに収納した状態の斜視図、図１０は中間部材を巻戻しノブに対して起立させたが、巻戻しクランクは中間部材に収納されている状態の斜視図、図１１は中間部材を巻戻しノブに対して起立させ、且つ巻戻しクランクを中間部材に対して起立させた状態の斜視図、図１２は巻戻しクランクと中間部材とを巻戻しノブに収納した状態の断面図、図１３は中間部材を巻戻しノブに対して起立させたが、巻戻しクランクは中間部材に収納されている状態の断面図、図１４は中間部材を巻戻しノブに対して起立させ、且つ巻戻しクランクを中間部材に対して起立させた状態の断面図である。なお、図１２乃至図１４は、縦長に形成された巻戻しクランク及び中間部材の長手方向中央を切断した断面図である。
【００３８】
各図において、３１は巻戻しノブであって、円盤状に形成されていて、カメラの外装部材３２に設けた窪み３２ａに収納されている。また、巻戻しノブ３１の各図の上面側には中央を横断する長溝３１ａが設けられている。３３は係合部材であって下部に設けられた二股３３ａが不図示のパトローネのスプールと係合する。そして、巻戻しノブ３１と係合部材３３は、例えば一方に設けた雄ねじと他方に設けた雌ねじによって一体的に接続され、不図示のカメラ本体と嵌合して自在に回転する。
【００３９】
なお、巻戻しノブ３１と係合部材３３とを最初から一体の部材に形成してもよい。
【００４０】
３４は縦長に形成された中間部材であり、その一端の両側面には支軸３４ａが突出していて、第１の実施の形態における図８に示した構成と同様に、巻戻しノブ３１の長溝３１ａの側壁に上下方向に形成された長溝３１ｂと嵌合する。これにより、中間部材３４は支軸３４ａを中心に回動自在であり、図９及び図１２の如く巻戻しノブ３１の長溝３１ａに収納されたり、図１０、図１１、図１３及び図１４の如く起立したりする。
【００４１】
なお、支軸３４ａをピアノ線等の別部材で形成してもよい。
３５は、縦長に形成された巻戻しクランクであり、一方の端部に円柱状の巻戻し用ツマミ３５ａを有している。巻戻しクランク３５の他方の端部の幅方向には、同心で且つ互いに逆方向に、２本の支軸３５ｂが立設している。一方、中間部材３４の他方の端部における幅方向には支持孔３４ｂが設けられている。そして、この支軸３５ｂが中間部材３４の支持孔３４ｂと係合している。従って、巻戻しクランク３５は支軸３５ｂを中心に回動自在であり、図１０及び図１３の如く中間部材３４の裏面に窪ませた収納部３４ｃに収納されたり、図１１及び図１４の如く中間部材３４の長手方向と略平行で、且つ、中間部材３４の他方の端部より突出したりする。
【００４２】
なお、支軸３５ｂをピアノ線の如き別部材で形成し、例えばピアノ線を支持孔３４ｂに嵌合させると共に、巻戻しクランク３５を貫通させるようにしてもよい。
【００４３】
そして、巻戻しクランク３５を収納部３４ｃに収納したときは、巻戻し用ツマミ３５ａは開口部３４ｄの部分に位置する。
【００４４】
また、巻戻しクランク３５を突出させたときは、図１４に示す如く、これ以上回転することがなく、突出状態を維持することができる。
【００４５】
以上の如く構成した巻戻しハンドルの作動を説明する。
先ず、フィルム巻戻しを行わないときは、図９及び図１２に示す如く、巻戻しクランク３５は中間部材３４の収納部３４ｃに収納され、且つ、中間部材３４は巻戻しノブ３１の長溝３１ａに収納されている。そして、フィルム巻上げが行われると、パトローネからのフィルムの引き出しに伴ってスプールが回転し、これに連動して係合部材３３が回転するので、巻戻しハンドル全体が回転する。なお、図９においては、反時計方向に回転するものとする。
【００４６】
次に、フィルム巻戻しを行うときは、先ず、中間部材３４の他方の端部の先端部に設けた指掛かり３４ｅに指先を掛けて、中間部材３４を引き上げる。すると、図１０及び図１３に示す如く、中間部材３４は巻戻しクランク３５を収納した状態で起立する。
【００４７】
続いて、巻戻しクランク３５を略１８０度の角度で時計方向に回転させる。これによって、図１１及び図１４の如く、巻戻しクランク３５が中間部材３４より突出した状態になる。即ち、巻戻し用ツマミ３５ａにおける巻戻しノブ３１の中心位置からの寸法は、従来の巻戻しハンドルと比較して遙かに長くなるので、フィルムを巻き戻すために回転させる力が弱くて済み、操作性が向上する。
【００４８】
巻戻しが終了した後は前述と逆の操作を行い、図１１及び図１４の状態から巻戻しクランク３５を反時計方向に回転させ、中間部材３４の収納部３４ｃに収納させて図１０及び図１３の状態にする。続いて、中間部材３４を回転させて、巻戻しノブ３１の長溝３１ａに収納すれば、図９及び図１２に示す収納状態になる。
【００４９】
なお、中間部材３４の長手方向両側面には小さな突部３４ｆが突出していて、中間部材３４を巻戻しノブ３１の長溝３１ａに収納したときに、突部３４ｆが長溝３１ａの側面に圧接するので、収納状態においてカメラを逆さにしたときでも中間部材３４等が突出するようなことは生じない。
【００５０】
［第３の実施の形態］
第３の実施の形態の巻戻しハンドルを図１５乃至図２０を参照して説明する。
【００５１】
図１５は巻戻しクランクと中間部材とを巻戻しノブに収納した状態の斜視図、図１６は中間部材を巻戻しノブに対して起立させたが、巻戻しクランクは中間部材に収納されている状態の斜視図、図１７は中間部材を巻戻しノブに対して起立させ、且つ巻戻しクランクを中間部材に対して起立させた状態の斜視図、図１８は巻戻しクランクと中間部材とを巻戻しノブに収納した状態の断面図、図１９は中間部材を巻戻しノブに対して起立させたが、巻戻しクランクは中間部材に収納されている状態の断面図、図２０は中間部材を巻戻しノブに対して起立させ、且つ巻戻しクランクを中間部材に対して起立させた状態の断面図である。なお、図１８乃至図２０は、縦長に形成された巻戻しクランク及び中間部材の長手方向中央を切断した断面図である。
【００５２】
各図において、４１は巻戻しノブであって、円盤状に形成されていて、カメラの外装部材４２に設けた窪み４２ａに収納されている。また、巻戻しノブ４１の各図の上面側には中央を横断する長溝４１ａが設けられている。４３は係合部材であって下部に設けられた二股４３ａが不図示のパトローネのスプールと係合する。そして、巻戻しノブ４１と係合部材４３は、例えば一方に設けた雄ねじと他方に設けた雌ねじによって一体的に接続され、不図示のカメラ本体と嵌合して自在に回転する。
【００５３】
なお、巻戻しノブ４１と係合部材４３とを最初から一体の部材に形成してもよい。
【００５４】
４４は縦長に形成された中間部材であり、その一端の両側面には支軸４４ａが突出していて、第１の実施の形態における図８に示した構成と同様に、巻戻しノブ４１の長溝４１ａの側壁に上下方向に形成された長溝４１ｂと嵌合する。これにより、中間部材４４は支軸４４ａを中心に回動自在であり、図１５及び図１８の如く巻戻しノブ４１の長溝４１ａに収納されたり、図１６、図１７、図１９及び図２０如く起立したりする。
【００５５】
なお、支軸４４ａをピアノ線等の別部材で形成してもよい。
４５は、縦長に形成された巻戻しクランクであり、一方の端部に円柱状の巻戻し用ツマミ４５ａを有している。一方、中間部材４４の長手方向に空隙である収納部４４ｂが設けられている。そして、巻戻しクランク４５は中間部材４４の収納部４４ｂを長手方向に摺動自在であり、図１６及び図１９の如く巻戻しクランク４５は中間部材４４の収納部４４ｂに収納されたり、図１７及び図２０に示す如く中間部材４４の他方の端部より突出したりする。
【００５６】
そして、巻戻しクランク４５を突出したときは、巻戻しクランク４５に設けた停止部４５ｂが中間部材４４の側端４４ｃに当接して、巻戻しクランク４５が収納部４４ｂより抜けることがない。なお、少なくとも中間部材４４は樹脂成型されているので、組立時には樹脂の弾性を利用して停止部４５ｂを収納部４４ｂに圧入すればよい。
【００５７】
以上の如く構成した巻戻しハンドルの作動を説明する。
先ず、フィルム巻戻しを行わないときは、図１５及び図１８に示す如く、巻戻しクランク４５は中間部材４４の収納部４４ｂに収納され、且つ、中間部材４４は巻戻しノブ４１の長溝４１ａに収納されている。そして、フィルム巻上げが行われると、パトローネからのフィルムの引き出しに伴ってスプールが回転し、これに連動して係合部材４３が回転するので、巻戻しハンドル全体が回転する。なお、図１５においては、反時計方向に回転するものとする。
【００５８】
次に、フィルム巻戻しを行うときは、先ず、中間部材４４の他方の端部の先端部に設けた指掛かり４４ｄに指先を掛けて、中間部材４４を引き上げる。すると、図１６及び図１９に示す如く、中間部材４４は巻戻しクランク４５を収納した状態で起立する。
【００５９】
続いて、巻戻しクランク４５を中間部材４４より長手方向に引き出して、巻戻しクランク４５の停止部４５ｂを中間部材４４の側端４４ｃに当接させる。これによって、図１７及び図２０の如く、巻戻しクランク４５が中間部材４４より突出した状態になる。即ち、巻戻し用ツマミ４５ａにおける巻戻しノブ４１の中心位置からの寸法は、従来の巻戻しハンンドルと比較して遙かに長くなるので、フィルムを巻き戻すために回転させる力が弱くて済み、操作性が向上する。
【００６０】
巻戻しが終了した後は前述と逆の操作を行い、図１７及び図２０の状態から巻戻しクランク４５を摺動させ中間部材４４の収納部４４ｂに収納させて図１６及び図１９の状態にする。続いて、中間部材４４を回転させて、巻戻しノブ４１の長溝４１ａに収納すれば、図１５及び図１８に示す収納状態になる。
【００６１】
なお、中間部材４４の長手方向両側面には小さな突部４４ｅが突出していて、中間部材４４を巻戻しノブ４１の長溝４１ａに収納したときに、突部４４ｅが長溝４１ａの側面に圧接するので、収納状態においてカメラを逆さにしたときでも中間部材４４等が突出するようなことは生じない。
【００６２】
【発明の効果】
本発明のカメラにおける巻戻しハンドルにおいては、非使用時に巻戻しクランクを巻戻しノブに収納するときは巻戻しノブの直径を大きくせずとも通常の大きさで充分であり、フィルム巻戻し時に巻戻しクランクを巻戻しノブから起立させたときは、巻戻しクランクが従来より遙かに長くなって、巻戻しクランクを回転させるのに大きな力を必要とせず、操作性が向上する。
【図面の簡単な説明】
【図１】カメラの外観斜視図である。
【図２】巻戻しクランクと中間部材とを巻戻しノブに収納した状態の斜視図である。
【図３】中間部材を巻戻しノブに対して起立させたが、巻戻しクランクは中間部材に収納されている状態の斜視図である。
【図４】中間部材を巻戻しノブに対して起立させ、且つ巻戻しクランクを中間部材に対して起立させた状態の斜視図である。
【図５】巻戻しクランクと中間部材とを巻戻しノブに収納した状態の断面図である。
【図６】中間部材を巻戻しノブに対して起立させたが、巻戻しクランクは中間部材に収納されている状態の断面図である。
【図７】中間部材を巻戻しノブに対して起立させ、且つ巻戻しクランクを中間部材に対して起立させた状態の断面図である。
【図８】図７におけるＡ−Ａ断面図である。
【図９】巻戻しクランクと中間部材とを巻戻しノブに収納した状態の斜視図である。
【図１０】中間部材を巻戻しノブに対して起立させたが、巻戻しクランクは中間部材に収納されている状態の斜視図である。
【図１１】中間部材を巻戻しノブに対して起立させ、且つ巻戻しクランクを中間部材に対して起立させた状態の斜視図である。
【図１２】巻戻しクランクと中間部材とを巻戻しノブに収納した状態の断面図である。
【図１３】中間部材を巻戻しノブに対して起立させたが、巻戻しクランクは中間部材に収納されている状態の断面図である。
【図１４】中間部材を巻戻しノブに対して起立させ、且つ巻戻しクランクを中間部材に対して起立させた状態の断面図である。
【図１５】巻戻しクランクと中間部材とを巻戻しノブに収納した状態の斜視図である。
【図１６】中間部材を巻戻しノブに対して起立させたが、巻戻しクランクは中間部材に収納されている状態の斜視図である。
【図１７】中間部材を巻戻しノブに対して起立させ、且つ巻戻しクランクを中間部材に対して起立させた状態の斜視図である。
【図１８】巻戻しクランクと中間部材とを巻戻しノブに収納した状態の断面図である。
【図１９】中間部材を巻戻しノブに対して起立させたが、巻戻しクランクは中間部材に収納されている状態の断面図である。
【図２０】中間部材を巻戻しノブに対して起立させ、且つ巻戻しクランクを中間部材に対して起立させた状態の断面図である。
【符号の説明】
１０  巻戻しハンドル
２１，３１，４１  巻戻しノブ
２３，３３，４３  係合部材
２４，３４，４４  中間部材
２４ｃ，３４ｃ，４４ｂ  収納部
２４ｆ，３４ｆ，４４ｅ  突部
２５，３５，４５  巻戻しクランク
２５ａ，３５ａ，４５ａ  巻戻し用ツマミ
【図１】
2004317780.tif 000003
【図２】
2004317780.tif 000004
【図３】
2004317780.tif 000005
【図４】
2004317780.tif 000006
【図５】
2004317780.tif 000007
【図６】
2004317780.tif 000008
【図７】
2004317780.tif 000009
【図８】
2004317780.tif 000010
【図９】
2004317780.tif 000011
【図１０】
2004317780.tif 000012
【図１１】
2004317780.tif 000013
【図１２】
2004317780.tif 000014
【図１３】
2004317780.tif 000015
【図１４】
2004317780.tif 000016
【図１５】
2004317780.tif 000017
【図１６】
2004317780.tif 000018
【図１７】
2004317780.tif 000019
【図１８】
2004317780.tif 000020
【図１９】
2004317780.tif 000021
【図２０】
2004317780.tif 000022